(57)【要約】【課題】デジタルビデオカメラ等を用いて作成された画像音声ファイルを組み合わせて一つの動画ファイルを作成するシステムを実現することである。【解決手段】編集装置１０は、入力された画像音声ファイルの複数の画像音声ファイルを編集注文情報に基づい編集して一つの動画ファイルを作成する。当該編集注文情報は、編集対象となる画像音声ファイルが記録された記録メディアに追記されていても良いし、注文票用紙に記入されていても良い。この場合、ユーザは、当該注文票用紙に記入された編集注文情報を編集装置１０に直接入力する。編集注文情報の作成は、ユーザが利用可能なゲーム機、ＤＶＤプレーヤ或いはＰＣ等で注文情報作成プログラムが実行されることにより行われる。【選択図】          図５
2005012704.tif 000002
【特許請求の範囲】
【請求項１】
動画ファイル及び／又は静止画ファイルを含む複数ファイルを編集して編集動画ファイルを作成するための編集注文情報に基づいて前記ファイルを編集して編集動画ファイルを作成する制御部を備えたことを特徴とする編集装置。
【請求項２】
動画ファイル及び／又は静止画ファイルを含む複数ファイルと該複数ファイルを編集して編集動画ファイルを作成するための編集注文情報とが共に記録された記録メディアから前記複数ファイル及び編集注文情報を読み出し、該読み出した編集注文情報に基づいて前記読み出した複数ファイルを編集して編集動画ファイルを作成する制御部を備えたことを特徴とする編集装置。
【請求項３】
動画ファイル及び／又は静止画ファイルを含む複数ファイルと、該複数ファイルを編集して編集動画ファイルを作成するための編集注文情報とが各々別々に記録された２つの記録メディアから、前記複数ファイル及び編集注文情報を読み出し、該読み出した編集注文情報に基づいて前記読み出した複数ファイルを編集して編集動画ファイルを作成する制御部を備えたことを特徴とする編集装置。
【請求項４】
前記編集注文情報には、前記記録メディアにおける前記動画ファイルの格納場所を示す情報と、該動画ファイルにおける再生個所を示す情報と、該動画ファイルの再生開始タイミング及び／又は再生終了タイミングを示す情報とが含まれていることを特徴とする請求項１〜３のうち何れか一項に記載の編集装置。
【請求項５】
前記編集注文情報には、前記記録メディアにおける前記静止画ファイルの格納場所を示す情報と、該静止画ファイルの表示時間及び表示タイミングを示す情報とが含まれていることを特徴とする請求項１〜４のうち何れか一項に記載の編集装置。
【請求項６】
前記編集注文情報には、前記編集動画ファイルの再生画面内におけるレイアウトを表すテンプレートを指定するための情報と、該テンプレートの表示タイミング及び表示時間を示す情報とが含まれていることを特徴とする請求項１〜５のうち何れか一項に記載の編集装置。
【請求項７】
前記複数ファイルには音声ファイルが含まれ、前記編集注文情報には、前記記録メディアにおける前記音声ファイルの格納場所を示す情報と、該音声ファイルにおける再生個所を示す情報と、該音声ファイルの再生開始タイミング及び／又は再生終了タイミングを示す情報とが含まれていることを特徴とする請求項１〜６のうち何れか一項に記載の編集装置。
【請求項８】
記録メディアに記録された動画ファイル及び／又は静止画ファイルを含む複数ファイルを編集して編集動画ファイルを作成するための編集注文情報を作成するコンピュータに、
前記記録メディアにおける前記複数ファイルの各々の格納場所を示す情報を用いて前記編集注文情報を作成する機能と、
入力された指示に応じて、前記編集注文情報を、表示装置に表示させるか、前記複数ファイルが記録された記録メディアに追記するか、前記複数ファイルが記録された記録メディアとは異なる別の記録メディアに記録するか、或いは前記複数ファイルと共にオンライン送信する機能と、
を実現させるための注文情報作成プログラム。
【請求項９】
前記コンピュータに、
前記記録メディアにおける前記動画ファイルの格納場所を示す情報と、該動画ファイルにおける再生個所を示す情報と、該動画ファイルの再生開始タイミング及び／又は再生終了タイミングを示す情報とを用いて前記編集注文情報を作成する機能を更に実現させるための請求項８に記載の注文情報作成プログラム。
【請求項１０】
前記コンピュータに、
前記編集注文情報には、前記記録メディアにおける前記静止画ファイルの格納場所を示す情報と、該静止画ファイルの表示時間及び表示タイミングを示す情報とを用いて前記編集注文情報を作成する機能を更に実現させるための請求項８又は９に記載の注文情報作成プログラム。
【請求項１１】
前記編集注文情報には、前記編集動画ファイルの再生画面内におけるレイアウトを表すテンプレートを指定するための情報と、該テンプレートの表示タイミング及び表示時間を示す情報とを用いて前記編集注文情報を作成する機能を更に実現させるための請求項８〜１０のうち何れか一項に記載の注文情報作成プログラム。
【請求項１２】
前記複数ファイルには音声ファイルが含まれる場合には、前記記録メディアにおける前記音声ファイルの格納場所を示す情報と、該音声ファイルにおける再生個所を示す情報と、該音声ファイルの再生開始タイミング及び／又は再生終了タイミングを示す情報とを用いて前記編集注文情報を作成する機能を更に実現させるための請求項８〜１１のうち何れか一項に記載の注文情報作成プログラム。
【発明の詳細な説明】
【０００１】
【発明の属する技術分野】
本発明は、駅やレストラン等に設置され、入力された画像音声ファイルを編集して記録する編集装置と、画像音声ファイルを当該編集装置に編集して記録させる際の仕様を作成するための記録プログラムと、画像音声ファイルを記録する記録方法とに関する。
【０００２】
【従来の技術】
近時、ＤＳＣ（Ｄｉｇｉｔａｌ  Ｓｔｉｌｌ  Ｃａｍｅｒａ）、デジタルビデオカメラ及びＤＶＤ（Ｄｉｇｉｔａｌ  Ｖｅｒｓａｔｉｌｅ  Ｄｉｓｋ）カメラ等により作成された動画、静止画及び音声等のファイル（以下、画像音声ファイルと総称する。）を一つの動画ファイルに編集する編集処理や、当該編集された動画ファイルをＣＤ−ＲＷ（ＣｏｍｐａｃｔＤｉｓｋ−ＲｅＷｒｉｔａｂｌｅ）やＤＶＤ−ＲＷ（ＤＶＤ−ＲｅＷｒｉｔａｂｌｅ）へ書き込む等の記録処理がＰＣ（Ｐｅｒｓｏｎａｌ  Ｃｏｍｐｕｔｅｒ）等を用いて行える（例えば、特許文献１参照。）。
【０００３】
【特許文献１】
特許第３３２１４０２号明細書
【０００４】
【発明が解決しようとする課題】
しかし、上記したようなＰＣ等を用いた画像音声ファイルに対する編集処理や記録処理は、ＰＣの操作についての知識が豊富な一部のユーザのみが可能であり、それ以外のユーザにとっては困難である。
特に、ＰＣ操作についての知識が豊富なユーザでなければ、複数の画像音声ファイルを組み合わせて一つの動画ファイルを作成するといった編集処理は困難である。
更に、各種メモリカードやＣＤ−Ｒ等の記録メディアに記録された静止画をプリントして提供するシステムは既に実現されているが、記録メディアに記録された複数の画像音声ファイルを組み合わせて編集するシステムは未だ実現されていない。
【０００５】
本発明の課題は、デジタルビデオカメラ等を用いて作成された画像音声ファイルを組み合わせて一つの動画ファイルを作成するシステムを実現することである。
【０００６】
【課題を解決するための手段】
上記課題を解決するため、請求項１に記載の発明は、
動画ファイル及び／又は静止画ファイルを含む複数ファイルを編集して編集動画ファイルを作成するための編集注文情報に基づいて前記ファイルを編集して編集動画ファイルを作成する制御部を備えたことを特徴とする。
【０００７】
また、上記課題を解決するため、請求項２に記載の発明は、
動画ファイル及び／又は静止画ファイルを含む複数ファイルと該複数ファイルを編集して編集動画ファイルを作成するための編集注文情報とが共に記録された記録メディアから前記複数ファイル及び編集注文情報を読み出し、該読み出した編集注文情報に基づいて前記読み出した複数ファイルを編集して編集動画ファイルを作成する制御部を備えたことを特徴とする。
【０００８】
また、上記課題を解決するため、請求項３に記載の発明は、
動画ファイル及び／又は静止画ファイルを含む複数ファイルと、該複数ファイルを編集して編集動画ファイルを作成するための編集注文情報とが各々別々に記録された２つの記録メディアから、前記複数ファイル及び編集注文情報を読み出し、該読み出した編集注文情報に基づいて前記読み出した複数ファイルを編集して編集動画ファイルを作成する制御部を備えたことを特徴とする。
【０００９】
更に、請求項４に記載の発明のように、請求項１〜３のうち何れか一項に記載の発明において、
前記編集注文情報には、前記記録メディアにおける前記動画ファイルの格納場所を示す情報と、該動画ファイルにおける再生個所を示す情報と、該動画ファイルの再生開始タイミング及び／又は再生終了タイミングを示す情報とが含まれているのが好ましい。
【００１０】
更に、請求項５に記載の発明のように、請求項１〜４のうち何れか一項に記載の発明のように、
前記編集注文情報には、前記記録メディアにおける前記静止画ファイルの格納場所を示す情報と、該静止画ファイルの表示時間及び表示タイミングを示す情報とが含まれているのが好ましい。
【００１１】
更に、請求項６に記載の発明のように、請求項１〜５のうち何れか一項に記載の発明のように、
前記編集注文情報には、前記編集動画ファイルの再生画面内におけるレイアウトを表すテンプレートを指定するための情報と、該テンプレートの表示タイミング及び表示時間を示す情報とが含まれているのが好ましい。
【００１２】
更に、請求項７に記載の発明のように、請求項１〜６のうち何れか一項に記載の発明のように、
前記複数ファイルには音声ファイルが含まれ、前記編集注文情報には、前記記録メディアにおける前記音声ファイルの格納場所を示す情報と、該音声ファイルにおける再生個所を示す情報と、該音声ファイルの再生開始タイミング及び／又は再生終了タイミングを示す情報とが含まれているのが好ましい。
【００１３】
また、上記課題を解決するため、請求項８に記載の発明は、
記録メディアに記録された動画ファイル及び／又は静止画ファイルを含む複数ファイルを編集して編集動画ファイルを作成するための編集注文情報を作成するコンピュータに、
前記記録メディアにおける前記複数ファイルの各々の格納場所を示す情報を用いて前記編集注文情報を作成する機能と、
入力された指示に応じて、前記編集注文情報を、表示装置に表示させるか、前記複数ファイルが記録された記録メディアに追記するか、前記複数ファイルが記録された記録メディアとは異なる別の記録メディアに記録するか、或いは前記複数ファイルと共にオンライン送信する機能と、
を実現させる。
【００１４】
更に、請求項９に記載の発明のように、請求項８に記載の発明において、
前記コンピュータに、
前記記録メディアにおける前記動画ファイルの格納場所を示す情報と、該動画ファイルにおける再生個所を示す情報と、該動画ファイルの再生開始タイミング及び／又は再生終了タイミングを示す情報とを用いて前記編集注文情報を作成する機能を更に実現させるのが好ましい。
【００１５】
更に、請求項１０に記載の発明のように、請求項８又は９に記載の発明において、
前記コンピュータに、
前記編集注文情報には、前記記録メディアにおける前記静止画ファイルの格納場所を示す情報と、該静止画ファイルの表示時間及び表示タイミングを示す情報とを用いて前記編集注文情報を作成する機能を更に実現させるのが好ましい。
【００１６】
更に、請求項１１に記載の発明のように、請求項８〜１０のうち何れか一項に記載の発明において、
前記編集注文情報には、前記編集動画ファイルの再生画面内におけるレイアウトを表すテンプレートを指定するための情報と、該テンプレートの表示タイミング及び表示時間を示す情報とを用いて前記編集注文情報を作成する機能を更に実現させるのが好ましい。
【００１７】
更に、請求項１２に記載の発明のように、請求項８〜１１のうち何れか一項に記載の発明において、
前記複数ファイルには音声ファイルが含まれる場合には、前記記録メディアにおける前記音声ファイルの格納場所を示す情報と、該音声ファイルにおける再生個所を示す情報と、該音声ファイルの再生開始タイミング及び／又は再生終了タイミングを示す情報とを用いて前記編集注文情報を作成する機能を更に実現させるのが好ましい。
【００１８】
従って、編集装置を用いることにより、特にＰＣの操作に不慣れなユーザであっても、入力した編集注文情報に基づき動画や静止画等の複数ファイルを編集して動画を作成できるので、子供からお年よりまであらゆる人々が利用でき、高い汎用性が実現できる。
また、編集装置が、駅、マーケット、レストラン等の公共の場に設置されれば、ユーザは通学や会社帰り等に容易に複数ファイルを編集して動画を作成するシステムを利用できるので便利である。
また、編集注文情報と当該編集注文の対象となる動画等の複数ファイルとを一枚の記録メディアにまとめて記録しておけば、当該記録メディアを編集装置にセットするだけで所望の動画が容易に作成できるので非常に便利である。
また、一枚の記録メディアに当該記録メディアの容量一杯に動画が記録されていても、他の別の記録メディアに編集注文情報が記録できるので、便利である。また、複数ファイルを編集して動画を作成するための編集注文情報は注文情報作成プログラムが実行されることにより作成できるので、ＰＣに限らず、この注文情報作成プログラムを実行できる機器であればゲーム機やＤＶＤプレーヤ等でも編集注文情報が作成できる。特に、当該複数ファイルが記録された記録メディアに注文情報作成プログラムが記録されていれば、予め注文情報作成プログラムがインストールされた機器を用いる必要がないので便利である。
また、編集注文情報はオンラインによりファイル編集業者等に直接送信できるので、ユーザは、編集注文情報だけでなく当該編集注文の対象となる動画等のファイルもファイル編集業者にオンライン送信すれば、自宅等からでも複数ファイルを編集して動画を作成するシステムを利用できるので便利である。
【００１９】
【発明の実施の形態】
図面を参照して本発明を適用した編集装置１０について詳細に説明する。
【００２０】
まず、図１を参照して、編集装置１０の構成について説明する。
図１に示すように、編集装置１０は、メモリカードスロット１１、ＣＤ−ＲＷ／ＤＶＤ−ＲＷドライバ１２、ＦＢＳ１３、コインメックユニット１４、スピーカ１５、表示部１６、制御部１７、プリンタ１８、ＵＰＳ１９等を備えて構成される。
【００２１】
メモリカードスロット１１は、制御部１７とＵＳＢ（Ｕｎｉｖｅｒｓａｌ  Ｓｅｒｉａｌ  Ｂｕｓ）を介して接続され、各種ＤＳＣメモリカード（例えば、メモリースティック（登録商標）やＳＤカード（登録商標）等。）を着脱自在に格納する。メモリカードスロット１１に格納された上記各種ＤＳＣメモリカードと制御部１７との間ではＵＳＢを介してデータの送受信が可能である。
【００２２】
ＣＤ−ＲＷ／ＤＶＤ−ＲＷドライバ１２は、ＣＤ−ＲＷやＤＶＤ−ＲＷ等に対しデータの読み込みや書き込みを行う。また、ＣＤ−ＲＷ／ＤＶＤ−ＲＷドライバ１２と制御部１７との間ではＡＴＡＰＩ（Ａｄｖａｎｃｅｄ  Ｔｅｃｈｎｏｌｏｇｙ  Ａｔｔａｃｈｍｅｎｔ  Ｐａｃｋｅｔ  Ｉｎｔｅｒｆａｃｅ）を介してデータの送受信が行える。
【００２３】
以下、各種ＤＳＣメモリカード、ＣＤ−ＲＷ、ＤＶＤ−ＲＷ等を記録メディアと総称する。
【００２４】
ＦＢＳ（Ｆｌａｔ  Ｂｅｄ  Ｓｃａｎｎｅｒ）１３は、ＵＳＢ接続により制御部１７に接続されたスキャナであり、原稿から画像を読み込んで制御部１７に送信する。
【００２５】
コインメックユニット１４は、図示しない硬貨挿入口から予め指定された硬貨（例えば、５００円硬貨等。）が投入されると、以下に説明する編集記録処理を行う旨の指示信号を制御部１７に送信する。
【００２６】
スピーカ１５は、制御部１７から送信された各種音声アナログ信号を放音する。
【００２７】
表示部１６は、図示しないＬＣＤ（Ｌｉｑｕｉｄ  Ｃｒｙｓｔａｌ  Ｄｉｓｐｌａｙ）やＣＲＴ（Ｃａｔｈｏｄｅ  Ｒａｙ  Ｔｕｂｅ）等のディスプレイ１６１を備え、制御部１７から送信された各種画像表示信号をディスプレイ１６１に表示する。また、表示部１６はタッチパネル１６２を備え、タッチパネル１６２はディスプレイ１６１の表示画面上に貼付されている。タッチパネル１６２から入力された各種信号は制御部１７に送信される。
【００２８】
制御部１７は、編集装置１０を統括的に制御する。特に、コインメックユニット１４から上記編集記録処理を行う旨の指示信号が送信されると、制御部１７は当該編集処理を行う。
【００２９】
プリンタ１８は、例えば、昇華（ｄｙｅ−ｓｕｂｌｉｍａｔｉｏｎ  ｐｒｉｎｔｅｒ）プリンタであり、ＳＣＳＩ（Ｓｍａｌｌ  Ｃｏｍｐｕｔｅｒ  Ｓｙｔｅｍ  Ｉｎｔｅｒｆａｃｅ）を介して制御部１７からプリント指示と共に送信された静止画ファイル等をプリント（インデックスプリントを含む。）する。
【００３０】
ＵＰＳ（Ｕｎｉｎｔｅｒｒｕｐｔｅｄ  Ｐｏｗｅｒ  Ｓｕｐｐｌｙ；無停電電源装置）１９は、商用電源の停止や瞬断等によるシステムダウンを防止するための予備電源装置であり、制御部１７を含む編集装置１０の各構成部に接続されて電源供給可能となっている。
【００３１】
次に、制御部１７によって行われる上記編集記録処理について説明する。
ここで、メモリカードスロット１１やＣＤ−ＲＷ／ＤＶＤ−ＲＷドライバ１２に格納された記録メディアには、編集記録処理が行われる（編集注文の対象となる）画像音声ファイルと、当該編集記録処理を行う際の仕様（以下、編集注文という。）が予め記録されている。
【００３２】
なお、上記編集注文情報は、編集注文の対象となる画像音声ファイルと同一の記録メディアに記録されているとしたが、これに限らず、例えば、画像音声ファイルが記録された記録メディアとは別のメディアに記録されていても良いし、注文票用紙に記入されるようなものであっても良い。この場合、ユーザは、当該注文票用紙を参照しながら編集注文情報をタッチパネル１６２を介して直接入力することとなる。
【００３３】
上記編集注文情報は、動画ファイルを再生開始位置と再生時間とを指定して再生させると共に動画に文字を合成して再生させ（再生項目１）、静止画と音声を同期させて再生時間を指定して再生させ（再生項目２）、動画ファイルを再生開始位置と再生時間とを指定して再生させ（再生項目３）、動画ファイルを再生開始位置と再生時間とテンプレートとを指定して再生させ（再生項目４）、ＢＧＭを再生時間を指定して再生させる（再生項目５）ような編集注文の場合、例えば、再生項目１では、動画ファイル名（格納場所を示すパス）、動画ファイルにおける再生個所、動画ファイルの再生開始タイミング及び／又は再生終了タイミング、文字内容、文字表示位置、文字サイズ、フォント、文字色等の情報を含み、再生項目２では、静止画ファイル名（格納場所を示すパス）、静止画と同期して再生する音声ファイル名（格納場所を示すパス）、静止画の表示時間、音声ファイルにおける再生個所、音声ファイルの再生開始タイミング及び／又は再生終了タイミング等の情報を含み、再生項目３では、動画ファイル名（格納場所を示すパス）、動画ファイルにおける再生個所、動画ファイルの再生開始タイミング及び／又は再生終了タイミング等の情報を含み、再生項目４では、動画ファイル名（格納場所を示すパス）、動画ファイルにおける再生個所、動画ファイルの再生開始タイミング及び／又は再生終了タイミング、テンプレート番号、テンプレートの表示時間、トリミング情報、貼付け位置情報等の情報を含み、再生項目５では、ＢＧＭファイル名（格納場所を示すパス）、ＢＧＭ再生時間等の情報を含むと共に、各画像音声ファイルの再生順序（ここでは、再生項目１〜５の再生順序。）や各画像音声ファイルの切り替え効果（例えば、フェードインやフェードアウト等の効果。）を示す情報を含む。
【００３４】
制御部１７は、編集記録処理を開始すると、メモリカードスロット１１やＣＤ−ＲＷ／ＤＶＤ−ＲＷドライバ１２に格納された記録メディアに予め記録された編集注文の対象となる画像音声ファイルと、当該画像音声ファイルに対し編集注文するための編集注文情報とに基づいて一つの動画を作成する。次に、制御部１７は、当該処理後の動画ファイルをメモリカードスロット１１やＣＤ−ＲＷ／ＤＶＤ−ＲＷドライバ１２に格納された記録メディアに書き込んで編集記録処理を終了する。この場合、当該処理後の画像ファイルが書き込まれる記録メディアは、編集注文対象となる画像音声ファイルや編集注文情報が記録された記録メディアであっても良いし、他の記録メディアであっても良い。
【００３５】
当該編集記録処理により作成された動画再生場面の例１を図２に示す。動画再生場面の例１には、動画と静止画とが一枠ずつテンプレートに貼付されて表示されている。この動画や静止画に文字が合成されていも良いし、同時に音声が再生されていても良い。
【００３６】
次に、図３を参照して上記編集注文情報の作成処理について説明する。
編集注文情報の作成は、ゲーム機やＤＶＤプレーヤ等の家電機器やＰＣ等（以下、編集注文情報作成装置という。）によって注文情報作成プログラムが実行されることにより行われる。この編集注文情報プログラムは、編集注文情報作成装置の内蔵メモリに予め格納（インストール）されていても良いし、また、当該編集注文情報に基づいて編集注文の対象となる画像音声ファイルと同一の記録メディアに記録されていても良い。
【００３７】
まず、編集注文の対象となる画像音声ファイルが記録された記録メディアがセットされたと判定されると（ステップＳ１０）、編集注文情報プログラが実行される（ステップＳ１１）。
【００３８】
次に、編集注文の対象となる動画、静止画及び音声等を表すアイコンが図示しない表示手段を用いて編集注文用操作画面に表示されると（ステップＳ１２）、ユーザは、当該編集注文用操作画面に基づいて編集注文情報を作成する。
【００３９】
ここで、編集注文情報作成用の操作画面の一例（編集注文用操作画面２）を図４に示す。以下、図４を参照しながら、ステップＳ１３における編集注文情報の作成処理について詳細に説明する。ここで、図４に示す編集注文用操作画面２では、タッチパネルやマウス等（何れも図示略。）のポインティングデバイスを用いて各種指示入力が行われる。
【００４０】
編集注文用操作画面２には、編集注文の対象となる画像音声ファイルが、アイコンＸ１〜Ｘ９によりマルチ表示されている。すなわち、画像ファイル（動画、静止画）を示すアイコンＸ１、Ｘ２、Ｘ６、Ｘ８、Ｘ９と、音声ファイルを示すアイコンＸ３、Ｘ４と、文字ファイルを示すアイコンＸ７とがマルチ表示されている。更に、編集注文用操作画面２には、編集されたアイコンＸ１〜Ｘ９によって示される画像音声ファイルや文字ファイルに対する再生時間と再生順序とがアイコン名（Ｘ１〜Ｘ９）を用いて示された編集ダイアグラム２２と、編集ダイアグラム２２に示された内容で編集を注文する旨の指示入力を行う注文ボタン２３とが表示されている。
【００４１】
ユーザは、指等によるタッチ（或いはマウスによるクリック）することにより、編集ダイアグラム２２の表示内容を自在に変更することができる。例えば、編集ダイアグラム２２において再生時間を示す図形（例えば、矢印。）の一端（例えば、矢の一端。）をドラッグして図形の時間方向の長さを伸張させることができる。また、表示されている編集注文の対象となる画像音声ファイル２１の中のアイコンＸ１〜Ｘ９のなかの何れかを編集ダイアグラム２２の所望する位置にドラッグアンドドロップすることにより挿入させることができる。
【００４２】
図３に戻って説明する。
ステップＳ１３に編集注文情報が作成されると、当該編集注文情報は、ユーザによる選択指示に応じて、画面表示される（ステップＳ１４）か、或いは、データとして出力される（ステップＳ１６）。
【００４３】
ステップＳ１４の後、編集注文情報が画面表示されると、ユーザは、画面表示された編集注文情報を所定の注文票用紙に記入する。
【００４４】
また、ステップＳ１６の後、編集注文情報がデータとして出力されると、当該編集注文情報は、ユーザによる選択指示に応じて、編集注文の対象となる画像音声ファイルが記録された記録メディアとは別の記録メディアに、当該編集注文の対象となる画像音声ファイルと共に記録されるか（ステップＳ１６）、或いは、編集注文の対象となる画像音声ファイルが記録された記録メディアに追記されるか（ステップＳ１７）、或いは、編集注文情報作成装置がインターネット等の通信回線に接続されている場合には編集注文の対象となる画像音声ファイルと共に当該通信回線を介してオンライン送信される（ステップＳ１８）。
【００４５】
上記した編集装置１０と注文情報作成プログラムとを利用することにより、以下に説明するようなファイル編集システムが実施可能となる。
次に、このファイル編集システムについて説明する。
【００４６】
まず、ＤＳＣ、デジタルビデオカメラ或いはＤＶＤカメラ等を用いて作成された画像音声ファイルは、写真店で記録メディアＡに記録されたり、或いは、駅、マーケット、レストラン等の公共の場に設置された編集装置１０によって記録メディアＡに記録されたりする（ステップＳ５０）。ここで、記録メディアＡには、注文情報作成プログラムが予め記録されている。
【００４７】
この場合、記録メディアＡは、駅、マーケット、レストラン等の公共の場であって編集装置１０の設置場所近傍に設けられた販売陳列棚Ｔから購入される。画像音声ファイルは、編集装置１０を用いて当該記録メディアＡに記録される。
【００４８】
次に、上記のようにして画像音声ファイルが記録された記録メディアＡは、ユーザが利用可能なゲーム機やＤＶＤプレーヤ等の家電機器やＰＣ等にセットされ図３のフローチャートに示す編集注文情報作成処理が実行される（ステップＳ５１）。
【００４９】
この場合、編集注文情報は、記録メディアＡとは別の記録メディアＢに記録されるようにしても良い。また、注文情報作成プログラムが予め格納（インストール）されたＰＣが利用できる場合には、記録メディアＡを介さずに画像音声ファイルを当該ＰＣに直接コピーして用いるようにしても良い。
【００５０】
画像音声ファイルと編集注文情報とが記録メディアＡに（或いは、画像音声ファイルは記録メディアＡに、編集注文情報は記録メディアＢに）記録されている場合、記録メディアＡに記録された編集注文情報に基づく動画ファイルの作成が写真店に直接注文されるようであっても良いし、或いは、駅、マーケット、レストラン等の公共の場に設置された編集装置１０によって当該編集注文情報に基づく動画ファイルの作成が行われるようであっても良い。また、ユーザ毎の私書箱（ロッカー）が設けられた受付ロッカー１００を介して記録メディアＡがファイル編集業者に届けられることにより、記録メディアＡに記録された編集注文情報に基づく動画ファイルの作成が当該ファイル編集業者に注文されるようであっても良いし、
【００５１】
また、画像音声ファイルと編集注文情報とがＰＣ等からインターネット等の通信回線を介して上記ファイル編集業者にオンライン送信されるようであっても良い。
【００５２】
以上説明したように、編集装置１０は、入力された画像音声ファイルの複数の画像音声ファイルを編集注文情報に基づい編集して一つの動画ファイルを作成する。
当該編集注文情報は、編集対象となる画像音声ファイルが記録された記録メディアに追記されていても良いし、注文票用紙に記入されていても良い。この場合、ユーザは、当該注文票用紙に記入された編集注文情報を編集装置１０に直接入力する。
また、編集注文情報の作成は、ユーザが利用可能なゲーム機、ＤＶＤプレーヤ或いはＰＣ等で注文情報作成プログラムが実行されることにより行われる。
【００５３】
従って、複数の画像音声ファイルを組み合わせて一つの動画ファイルを作成する際、ユーザは、当該画像音声ファイルを構成する画像音声ファイルの組み合わせの詳細を指定するための編集注文情報を、ユーザが利用可能なゲーム機やＤＶＤプレーヤ等を用いて作成し、編集装置１０を用いて当該編集注文情報に基づき編集後の動画ファイルを記録メディアに出力できる。このため、特にＰＣの操作に不慣れなユーザであっても容易に複数の画像音声ファイルを組み合わせて一つの動画ファイルを作成できる。
また、編集装置１０は、駅、マーケット、レストラン等の公共の場に設置されているので、ユーザは通学や会社帰り等に容易に当該システムを利用できるので便利である。
また、注文情報作成プログラムが予め記録された記録メディアＡに、編集注文の対象となる画像音声ファイルと編集注文情報とが追記されているような場合には、ユーザは一枚の記録メディアＡだけを用いて当該システムを利用できるので便利である。
【００５４】
なお、本実施の形態における記述は、本発明に係る編集装置及び注文情報作成プログラムの一例を示すものであり、これに限定されるものではない。本実施の形態における編集装置１０や注文情報作成プログラムによる処理内容の詳細については、本発明の趣旨を逸脱しない範囲で適宜変更可能である。
【００５５】
例えば、編集注文情報を作成するための編集注文情報作成装置をゲーム機、ＤＶＤプレーヤ、ＰＣとしたが、これに限らず、電話機やＴＶ等、注文情報作成プログラムが実行可能な機器であれば何でも良い。また、編集装置１０は、プリンタ１８を備えるものとして説明したが、これに限らず、プリンタ１８を編集装置１０とは別体にして設けても良い。
【００５６】
【発明の効果】
本発明によれば、編集装置を用いることにより、特にＰＣの操作に不慣れなユーザであっても、入力した編集注文情報に基づき動画や静止画等の複数ファイルを編集して動画を作成できるので、子供からお年よりまであらゆる人々が利用でき、高い汎用性が実現できる。
また、編集装置が、駅、マーケット、レストラン等の公共の場に設置されれば、ユーザは通学や会社帰り等に容易に複数ファイルを編集して動画を作成するシステムを利用できるので便利である。
また、編集注文情報と当該編集注文の対象となる動画等の複数ファイルとを一枚の記録メディアにまとめて記録しておけば、当該記録メディアを編集装置にセットするだけで所望の動画が容易に作成できるので非常に便利である。
また、一枚の記録メディアに当該記録メディアの容量一杯に動画が記録されていても、他の別の記録メディアに編集注文情報が記録できるので、便利である。
また、複数ファイルを編集して動画を作成するための編集注文情報は注文情報作成プログラムが実行されることにより作成できるので、ＰＣに限らず、この注文情報作成プログラムを実行できる機器であればゲーム機やＤＶＤプレーヤ等でも編集注文情報が作成できる。特に、当該複数ファイルが記録された記録メディアに注文情報作成プログラムが記録されていれば、予め注文情報作成プログラムがインストールされた機器を用いる必要がないので便利である。
また、編集注文情報はオンラインによりファイル編集業者等に直接送信できるので、ユーザは、編集注文情報だけでなく当該編集注文の対象となる動画等のファイルもファイル編集業者にオンライン送信すれば、自宅等からでも複数ファイルを編集して動画を作成するシステムを利用できるので便利である。
【図面の簡単な説明】
【図１】本発明を適用した編集装置の内部構成を示す図である。
【図２】本発明を適用した編集装置によって作成された動画再生場面の一例を示す図である。
【図３】編集注文情報作成処理を説明するフローチャートである。
【図４】編集注文情報作成処理が行われる際に用いられる編集注文用操作画面の一例を示す図である。
【図５】本発明を利用したファイル編集システムの内容を示す図である。
【符号の説明】
１０  編集装置
１１  メモリカードスロット
１２  ＣＤ−ＲＷ／ＤＶＤ−ＲＷドライバ
１３  ＦＢＳ
１４  コインメックユニット
１５  スピーカ
１６  表示部
１７  制御部
１８  プリンタ
１９  ＵＰＳ
１００  受付ロッカー
１６１  ディスプレイ
１６２  タッチパネル
【図１】
2005012704.tif 000003
【図２】
2005012704.tif 000004
【図３】
2005012704.tif 000005
【図４】
2005012704.tif 000006
【図５】
2005012704.tif 000007